(57)【特許請求の範囲】
【請求項１】
本体筐体と、
前記本体筐体の側壁に設けられて開放したその内面が上方を向く開閉可能な扉部と、
前記扉部を開放した開口を通して前記本体筐体の内部の所定の装着部に装着されるとともに、前記本体筐体に対して着脱が可能な廃トナーを収容する収容容器と、
開放した前記扉部の内面において前記装着部に対応する位置に設けられて、前記装着部への前記収容容器の装着をガイドするための前記収容容器の載置部と、
前記本体筐体に設けられて前記収容容器に対して廃トナーを排出するための排出口と、
前記収容容器に設けられて前記排出口から排出される廃トナーが流入するとともに前記収容容器が前記載置部に載置された場合に前記排出口に連結される流入口と、
を備えることを特徴とする画像形成装置。
【請求項２】
前記収容容器は廃トナーが流入する流入口を複数備え、
前記載置部は複数の前記流入口のうち最も多くの廃トナーが流入する前記流入口に対応する領域が他の領域よりも前記載置部に載置された前記収容容器に向かって突出することを特徴とする請求項１に記載の画像形成装置。
【請求項３】
前記収容容器は廃トナーが流入する流入口を複数備え、
前記載置部は前記扉部と一体として形成されたリブを有し、複数の前記流入口のうち最も多くの廃トナーが流入する前記流入口に対応する領域の前記リブの数が他の領域の前記リブの数よりも多いことを特徴とする請求項１または請求項２に記載の画像形成装置。
【請求項４】
本体筐体と、
前記本体筐体の側壁に設けられて開放したその内面が上方を向く開閉可能な扉部と、
前記扉部を開放した開口を通して前記本体筐体の内部の所定の装着部に装着されるとともに、前記本体筐体に対して着脱が可能な廃トナーを収容する収容容器と、
開放した前記扉部の内面において前記装着部に対応する位置に設けられて、前記装着部への前記収容容器の装着をガイドするための前記収容容器の載置部と、
を備え、
前記収容容器は廃トナーが流入する流入口を複数備え、
前記載置部は複数の前記流入口のうち最も多くの廃トナーが流入する前記流入口に対応する領域が他の領域よりも前記載置部に載置された前記収容容器に向かって突出することを特徴とする画像形成装置。
【請求項５】
前記本体筐体に設けられて前記収容容器に対して廃トナーを排出するための排出口と、
前記収容容器に設けられて前記排出口から排出される廃トナーが流入するとともに前記収容容器が前記載置部に載置された場合に前記排出口に連結される流入口と、
を備えることを特徴とする請求項４に記載の画像形成装置。
【請求項６】
前記収容容器は廃トナーが流入する流入口を複数備え、
前記載置部は前記扉部と一体として形成されたリブを有し、複数の前記流入口のうち最も多くの廃トナーが流入する前記流入口に対応する領域の前記リブの数が他の領域の前記リブの数よりも多いことを特徴とする請求項４又は請求項５に記載の画像形成装置。
【請求項７】
本体筐体と、
前記本体筐体の側壁に設けられて開放したその内面が上方を向く開閉可能な扉部と、
前記扉部を開放した開口を通して前記本体筐体の内部の所定の装着部に装着されるとともに、前記本体筐体に対して着脱が可能な廃トナーを収容する収容容器と、
開放した前記扉部の内面において前記装着部に対応する位置に設けられて、前記装着部への前記収容容器の装着をガイドするための前記収容容器の載置部と、
を備え、
前記収容容器は廃トナーが流入する流入口を複数備え、
前記載置部は前記扉部と一体として形成されたリブを有し、複数の前記流入口のうち最も多くの廃トナーが流入する前記流入口に対応する領域の前記リブの数が他の領域の前記リブの数よりも多いことを特徴とする画像形成装置。
【請求項８】
前記本体筐体に設けられて前記収容容器に対して廃トナーを排出するための排出口と、
前記収容容器に設けられて前記排出口から排出される廃トナーが流入するとともに前記収容容器が前記載置部に載置された場合に前記排出口に連結される流入口と、
を備えることを特徴とする請求項７に記載の画像形成装置。
【請求項９】
前記収容容器は廃トナーが流入する流入口を複数備え、
前記載置部は複数の前記流入口のうち最も多くの廃トナーが流入する前記流入口に対応する領域が他の領域よりも前記載置部に載置された前記収容容器に向かって突出することを特徴とする請求項７又は請求項８に記載の画像形成装置。
【請求項１０】
トナー像を形成するための現像部と、
前記トナー像を担持する像担持体とを備え、
前記収容容器が前記現像部または前記像担持体の少なくとも一つから排出される廃トナーを収容することを特徴とする請求項１〜請求項９のいずれかに記載の画像形成装置。
【請求項１１】
前記載置部が、前記載置部に載置された前記収容容器の底面を支持する載置面と、前記載置面と交差して前記載置面から突出するとともに前記載置部に載置された前記収容容器の側壁と対向するガイド壁とを含むことを特徴とする請求項１〜請求項１０のいずれかに請求項２に記載の画像形成装置。
【請求項１２】
前記載置部が前記扉部と一体として形成されたリブを有することを特徴とする請求項１〜請求項１１のいずれかに記載の画像形成装置。
【請求項１３】
前記載置部が、前記載置部に載置された前記収容容器の上部を下部よりも前記本体筐体の内部に対して離隔させる傾斜を有することを特徴とする請求項１〜請求項１２のいずれかに記載の画像形成装置。
【請求項１４】
前記本体筐体に設けられて前記載置部に載置された前記収容容器の上部を支持する支持部を備えることを特徴とする請求項１〜請求項１３のいずれかに記載の画像形成装置。
【請求項１５】
前記載置部が前記扉部の前記本体筐体に対して隣接した支持端から離隔した自由端までの長さの中央部よりも前記本体筐体に近い領域に設けられることを特徴とする請求項１〜請求項１４のいずれかに記載の画像形成装置。
【請求項１６】
前記載置部はその前記本体筐体側の縁部が前記本体筐体に対して近接するとともに、開放された前記扉部が略水平を成す状態において前記本体筐体の前記収容容器の前記装着部の内底部よりも高さが低いことを特徴とする請求項１〜請求項１５のいずれかに記載の画像形成装置。
【請求項１７】
前記収容容器が前記載置部に対して離隔した状態で前記収容容器と前記本体筐体の前記収容容器の前記装着部とが互いに係合する係合部を備えることを特徴とする請求項１〜請求項１６のいずれかに記載の画像形成装置。
【請求項１８】
前記載置部が、前記扉部を前記本体筐体に対して閉鎖した場合に前記本体筐体の前記装着部に装着された前記収容容器の側壁と接触することを特徴とする請求項１〜請求項１７のいずれかに記載の画像形成装置。
【発明の詳細な説明】
【技術分野】
【０００１】
本発明は複写機に代表される画像形成装置に関するものである。
【背景技術】
【０００２】
複写機やプリンターなどの電子写真方式の画像形成装置では像担持体である感光体ドラムの表面に形成した静電潜像を、現像部でトナーを用いて現像することで用紙にトナー像を形成する装置が広く利用されている。さらに、例えばカラー印刷で複数色のトナーを用いる場合、中間転写体である中間転写ベルトを利用することもある。
【０００３】
感光体ドラムや中間転写ベルトではトナー像の転写後に微量のトナーが表面に残留することがある。それら残留トナーは次の新たな画像形成の障害となるのでクリーニングされ、廃トナーとして排出される。また、現像部では劣化等に起因して現像に適さなくなったトナーを廃トナーとして排出する場合がある。そして、廃トナーの収集に係る画像形成装置の従来技術が特許文献１に開示されている。
【０００４】
特許文献１に記載された画像形成装置は本体に開閉可能に支持されるフレームカバーと、フレームカバーに保持される廃トナー収容器とを備える。フレームカバーを本体に対して開放すると同時に、フレームカバーに保持された廃トナー収容器を本体に対して取り外すことができる。これにより、廃トナー収容器自体の本体に対する着脱作業をなくすことができ、画像形成装置の操作性、利便性が向上する。
【先行技術文献】
【特許文献】
【０００５】
【特許文献１】特開２００４−１４５２９０号公報
【発明の概要】
【発明が解決しようとする課題】
【０００６】
しかしながら、特許文献１に記載された画像形成装置は閉鎖状態で略垂直を成すフレームカバーを略水平になる開放状態にすると、廃トナー収容器自体も垂直状態から水平状態に倒れるので、廃トナー収容器から廃トナーが漏洩する虞があるという課題があった。これにより、画像形成装置の周囲を汚してしまうことが懸念された。
【０００７】
本発明は、上記の点に鑑みなされたものであり、廃トナーの収容容器からの廃トナーの漏洩を抑制することができ、容易に本体筐体に対して収容容器を着脱することが可能な画像形成装置を提供することを目的とする。
【課題を解決するための手段】
【０００８】
上記の課題を解決するため、本発明の画像形成装置は、本体筐体と、前記本体筐体の側壁に設けられて開放したその内面が上方を向く開閉可能な扉部と、前記扉部を開放した開口を通して前記本体筐体の内部の所定の装着部に装着されるとともに、前記本体筐体に対して着脱が可能な廃トナーを収容する収容容器と、開放した前記扉部の内面において前記装着部に対応する位置に設けられて、前記装着部への前記収容容器の装着をガイドするための前記収容容器の載置部とを備えることを特徴とする。
【０００９】
この構成によると、収容容器を装着部に装着する際、開放すると上方を向く扉部の内面に設けられた載置部に廃トナーの収容容器を載置することが促される。これにより、廃トナーの収容容器が立てた状態になり、廃トナーが漏洩しない。さらに、廃トナーの収容容器の載置部は本体筐体の内部の収容容器の装着部に対応する位置に設けられるので、その装着部への収容容器の装着が容易になる。
【００１０】
また、上記構成の画像形成装置において、トナー像を形成するための現像部と、前記トナー像を担持する像担持体とを備え、前記収容容器が前記現像部または前記像担持体の少なくとも一つから排出される廃トナーを収容することを特徴とする。
【００１１】
また、上記構成の画像形成装置において、前記載置部が、前記載置部に載置された前記収容容器の底面を支持する載置面と、前記載置面と交差して前記載置面から突出するとともに前記載置部に載置された前記収容容器の側壁と対向するガイド壁とを含むことを特徴とする。
【００１２】
また、上記構成の画像形成装置において、前記載置部が前記扉部と一体として形成されたリブを有することを特徴とする。
【００１３】
また、上記構成の画像形成装置において、前記載置部が、前記載置部に載置された前記収容容器の上部を下部よりも前記本体筐体の内部に対して離隔させる傾斜を有することを特徴とする。
【００１４】
また、上記構成の画像形成装置において、前記本体筐体に設けられて前記載置部に載置された前記収容容器の上部を支持する支持部を備えることを特徴とする。
【００１５】
また、上記構成の画像形成装置において、前記本体筐体に設けられて前記収容容器に対して廃トナーを排出するための排出口と、前記収容容器に設けられて前記排出口から排出される廃トナーが流入するとともに前記収容容器が前記載置部に載置された場合に前記排出口に連結される流入口とを備えることを特徴とする。
【００１６】
また、上記構成の画像形成装置において、前記載置部が前記扉部の前記本体筐体に対して隣接した支持端から離隔した自由端までの長さの中央部よりも前記本体筐体に近い領域に設けられることを特徴とする。
【００１７】
また、上記構成の画像形成装置において、前記載置部はその前記本体筐体側の縁部が前記本体筐体に対して近接するとともに、開放された前記扉部が略水平を成す状態において前記本体筐体の前記収容容器の前記装着部の内底部よりも高さが低いことを特徴とする。
【００１８】
また、上記構成の画像形成装置において、前記収容容器が前記載置部に対して離隔した状態で前記収容容器と前記本体筐体の前記収容容器の前記装着部とが互いに係合する係合部を備えることを特徴とする。
【００１９】
また、上記構成の画像形成装置において、前記載置部が、前記扉部を前記本体筐体に対して閉鎖した場合に前記本体筐体の前記装着部に装着された前記収容容器の側壁と接触することを特徴とする。
【００２０】
また、上記構成の画像形成装置において、前記収容容器は廃トナーが流入する流入口を複数備え、前記載置部は複数の前記流入口のうち最も多くの廃トナーが流入する前記流入口に対応する領域が他の領域よりも前記載置部に載置された前記収容容器に向かって突出することを特徴とする。
【００２１】
また、上記構成の画像形成装置において、前記収容容器は廃トナーが流入する流入口を複数備え、前記載置部は前記扉部と一体として形成されたリブを有し、複数の前記流入口のうち最も多くの廃トナーが流入する前記流入口に対応する領域の前記リブの数が他の領域の前記リブの数よりも多いことを特徴とする。
【発明の効果】
【００２２】
本発明の構成によれば、本体筐体に対する廃トナーの収容容器の着脱に際して扉部を開放したときに、本体筐体の内部の収容容器の装着部に対応する位置に設けられた載置部に廃トナーの収容容器を立てることができる。したがって、廃トナーの収容容器からの廃トナーの漏洩を抑制することができ、容易に本体筐体に対して収容容器を着脱することが可能な画像形成装置を提供することができる。
【図面の簡単な説明】
【００２３】
【図１】本発明の実施形態の画像形成装置の部分垂直断面正面図である。
【図２】本発明の実施形態の画像形成装置の画像形成部の概略垂直断面正面図である。
【図３】本発明の実施形態の画像形成装置の本体筐体の一部を示す外観斜視図である。
【図４】本発明の実施形態の画像形成装置の本体筐体の一部を示す外観斜視図にして、正面扉部の開放状態を示すものである。
【図５】本発明の実施形態の画像形成装置の廃トナー収容容器の正面側を示す外観斜視図である。
【図６】本発明の実施形態の画像形成装置の廃トナー収容容器の背面側を示す外観斜視図である。
【図７】本発明の実施形態の画像形成装置の正面扉部の内面を示す平面図である。
【図８】本発明の実施形態の画像形成装置の正面扉部の内面を示す斜視図である。
【図９】本発明の実施形態の画像形成装置の正面扉部の内面の左端部周辺を示す部分斜視図である。
【図１０】本発明の実施形態の画像形成装置の正面扉部の内面の右端部周辺を示す部分斜視図である。
【図１１】本発明の実施形態の画像形成装置の正面扉部の開放状態を示す垂直断面部分側面図である。
【図１２】本発明の実施形態の画像形成装置の廃トナー収容容器の本体筐体への装着の初期状態を示す外観斜視図である。
【図１３】本発明の実施形態の画像形成装置の廃トナー収容容器の本体筐体への装着の初期状態を示す垂直断面部分側面図である。
【図１４】本発明の実施形態の画像形成装置の廃トナー収容容器の本体筐体への装着の中途状態を示す垂直断面部分側面図である。
【図１５】本発明の実施形態の画像形成装置の廃トナー収容容器の本体筐体への装着の完了状態を示す垂直断面部分側面図である。
【発明を実施するための形態】
【００２４】
以下、本発明の実施形態を図に基づき説明する。なお、本発明は以下の内容に限定されるものではない。
【００２５】
最初に、本発明の実施形態の画像形成装置について、図１を用いてその構造の概略を説明しつつ、画像出力動作を説明する。図１は画像形成装置の部分垂直断面正面図の一例である。なお、図中の矢印付き二点鎖線は用紙の搬送経路及び搬送方向を示す。また、図１の上下方向、左右方向及び紙面奥行き方向が画像形成装置の上下方向、左右方向及び奥行き方向である。
【００２６】
画像形成装置１は、図１に示すように所謂タンデム型のカラー複写機であり、その本体筐体１ａに原稿の画像を読み取る画像読取部２と、読み取った画像を用紙等の転写材に印刷する印刷部３と、印刷条件の入力や稼働状況の表示を行うための操作部４と、主制御部５とを備える。
【００２７】
画像読取部２としては不図示のプラテンガラスの上面に載置された原稿の画像を、不図示のスキャナを移動して読み取る公知のものである。原稿の画像は赤（Ｒ）、緑（Ｇ）、青（Ｂ）の三色に色分解され、不図示のＣＣＤ（Charge Coupled Device）イメージセンサーで電気信号に変換される。これにより、画像読取部２は赤（Ｒ）、緑（Ｇ）、青（Ｂ）の色別の画像データを得る。
【００２８】
画像読取部２が得た色別の画像データは主制御部５において各種処理が行われ、イエロー（Ｙ）、マゼンタ（Ｍ）、シアン（Ｃ）、ブラック（Ｋ）の各再現色の画像データに変換されて主制御部５の内部の不図示のメモリーに格納される。メモリーに格納された再現色別の画像データは位置ずれ補正のための処理を受けた後、像担持体である感光体ドラム２１に対する光走査を行うために用紙の搬送と同期して走査ラインごとに読み出される。
【００２９】
印刷部３は電子写真方式によって画像を形成し、その画像を用紙等に転写する。印刷部３は中間転写体（像担持体）を無端状のベルトとして形成した中間転写ベルト１１を備える。中間転写ベルト１１は駆動ローラ１２、従動ローラ１３、１４に巻き掛けられる。中間転写ベルト１１には従動ローラ１３が不図示のバネによって図１における上方に付勢されることにより張力が与えられる。中間転写ベルト１１は駆動ローラ１２によって図１における反時計回りに回転移動する。
【００３０】
駆動ローラ１２は中間転写ベルト１１を挟んで対向する二次転写ローラ１５に圧し接触する。従動ローラ１４の箇所では、中間転写ベルト１１を挟んで従動ローラ１４に対向するように設けられた中間転写クリーニング部１６が中間転写ベルト１１の外周面に接触する。中間転写クリーニング部１６は中間転写ベルト１１の外周面に形成されたトナー像が用紙Ｐに転写された後、中間転写ベルト１１の外周面に残留したトナーなどの付着物（以下「廃トナー」と称する）を除去してクリーニングする。
【００３１】
中間転写ベルト１１の下方にはイエロー（Ｙ）、マゼンタ（Ｍ）、シアン（Ｃ）、ブラック（Ｋ）の各再現色に対応する画像形成部２０Ｙ、２０Ｍ、２０Ｃ、２０Ｋが設けられる。なおこの説明において、特に限定する必要がある場合を除き、「Ｙ」、「Ｍ」、「Ｃ」、「Ｋ」の識別記号の記載を省略して、例えば「画像形成部２０」と総称することがある。４台の画像形成部２０は中間転写ベルト１１の回転方向に沿って、回転方向の上流側から下流側に向けて一列にして配置される。４台の画像形成部２０は構成がすべて同じであり、図１における時計回りに回転する感光体ドラム２１を中心としてその周囲に帯電部２２、露光部（露光装置２３）、現像部２４、ドラムクリーニング部２５及び一次転写ローラ２６を備える（図２参照）。
【００３２】
中間転写ベルト１１の上方には、４台の各再現色の画像形成部２０に対応する現像剤ボトル７１及び現像剤ホッパー７２が設けられる。現像部２４及び現像剤ホッパー７２に対しては各々の内部の現像剤（トナー）の残量を検出する不図示の残量検出部が設けられる。また、現像部２４と現像剤ホッパー７２との間及び現像剤ホッパー７２と現像剤ボトル７１との間には各々不図示の現像剤の補給装置が設けられる。残量検出部によって現像部２４の内部の現像剤の残量の低下が検出されると、補給装置が現像剤ホッパー７２から現像部２４に現像剤を補給するように駆動する。さらに、残量検出部によって現像剤ホッパー７２の内部の現像剤の残量の低下が検出されると、補給装置が現像剤ボトル７１から現像剤ホッパー７２に現像剤を補給するように駆動する。現像剤ボトル７１は本体筐体１ａに対して着脱可能に設けられ、適宜新しいものと交換することができる。
【００３３】
４台の画像形成部２０の下方には用紙供給装置８１が設けられ、その内部に用紙Ｐが収容される。用紙供給装置８１の内部に収容された用紙Ｐは供給部８２によってその最上紙から順に１枚ずつ用紙搬送路Ｑに送り出される。用紙供給装置８１から用紙搬送路Ｑに送り出された用紙Ｐはレジストローラ対８４の箇所に到達する。そして、レジストローラ対８４が用紙Ｐの斜め送りを矯正（スキュー補正）しつつ中間転写ベルト１１の回転と同期をとって、中間転写ベルト１１と二次転写ローラ１５との接触部（二次転写ニップ部）に向けて用紙Ｐを送り出す。
【００３４】
画像形成部２０では帯電部２２及び露光装置２３によって感光体ドラム２１の表面に静電潜像が形成され、その静電潜像が現像部２４によってトナー像として可視像化される。感光体ドラム２１の表面に形成されたトナー像は感光体ドラム２１が中間転写ベルト１１を挟んで一次転写ローラ２６と対向する箇所において中間転写ベルト１１の外周面に一次転写される。そして、中間転写ベルト１１の回転とともに所定のタイミングで各画像形成部２０のトナー像が順次中間転写ベルト１１に転写されることにより、中間転写ベルト１１の外周面にはイエロー、マゼンタ、シアン、ブラックの４色のトナー像が重ね合わされたカラートナー像が形成される。
【００３５】
中間転写ベルト１１の外周面に一次転写されたカラートナー像はレジストローラ対８４により同期をとって送られてきた用紙Ｐに、中間転写ベルト１１と二次転写ローラ１５とが接触して形成される二次転写ニップ部にて転写される。
【００３６】
二次転写ニップ部の上方には定着部８５が備えられる。二次転写ニップ部にて未定着トナー像が転写された用紙Ｐは定着部８５へと送られて加熱ローラ及び加圧ローラに挟まれ、トナー像が加熱、加圧されて用紙Ｐに溶融定着される。定着部８５を通過した用紙Ｐは中間転写ベルト１１の上方に設けられた用紙排出部８６に排出される。
【００３７】
操作部４は画像読取部２の正面側に設けられる。操作部４は、例えばユーザーによる印刷に使用する用紙Ｐの種類やサイズ、拡大縮小、両面印刷の有無といった印刷条件などの設定の入力や、ファクシミリ送信におけるファックス番号や送信者名などの設定の入力を受け付ける。また、操作部４は、例えば装置の状態や注意事項、エラーメッセージなどを表示部４ｗに表示することによって、それらをユーザーに対して報知するための報知部としての役割も果たす。
【００３８】
また、画像形成装置１にはその全体の動作制御のため、不図示のＣＰＵや画像処理部、その他の図示しない電子部品で構成された主制御部５が設けられる。主制御部５は中央演算処理装置であるＣＰＵと画像処理部とを利用し、メモリーに記憶、入力されたプログラム、データに基づき画像読取部２や印刷部３などといった構成要素を制御して一連の画像形成動作、印刷動作を実現する。
【００３９】
続いて、画像形成装置１の画像形成部２０の構成及びその動作について、図１に加えて図２を用いて説明する。図２は画像形成部２０の概略垂直断面正面図である。なお、図２の上下方向、左右方向及び紙面奥行き方向が画像形成装置１及び画像形成部２０の上下方向、左右方向及び奥行き方向である。また前述のように、４色の各画像形成部２０は構造が共通するので「Ｙ」、「Ｍ」、「Ｃ」、「Ｋ」の識別記号の記載は省略する。
【００４０】
画像形成部２０は、図２に示すようにその中心に像担持体である感光体ドラム２１を備える。感光体ドラム２１の近傍には、その回転方向に沿って順に帯電部２２、現像部２４及びドラムクリーニング部２５が配置される。一次転写ローラ２６は感光体ドラム２１の回転方向に沿って現像部２４とドラムクリーニング部２５との間に設けられる。なお、ドラムクリーニング部２５の、感光体ドラム２１の回転方向下流側には不図示の除電装置が配置される。
【００４１】
感光体ドラム２１は画像形成装置１の用紙搬送方向と直角をなす用紙幅方向、すなわち図１及び図２の紙面奥行き方向に延び、その軸線方向を水平にして配置される。感光体ドラム２１は、例えばアルミニウム等により構成される導電性ローラ状基体の外側に無機光導電性材料の感光層を設けた無機感光体のドラムである。感光体ドラム２１は不図示の駆動装置によってその周速度が用紙搬送速度とほぼ同じになるように、正面から見て時計回りに回転される。
【００４２】
帯電部２２は感光体ドラム２１に接触する帯電ローラ２２ａを備える。帯電ローラ２２ａは所定の圧力で感光体ドラム２１に接触し、感光体ドラム２１の回転に従って回転する。この帯電ローラ２２ａにより、感光体ドラム２１の表面はマイナス極性の所定電位で一様に帯電する。
【００４３】
露光装置２３（図１参照）は形成する画像データに基づき変調されたレーザ光Ｌ等を感光体ドラム２１の表面に照射する。これにより、帯電部２２によって帯電させた電位が部分的に光減衰して原稿画像の静電潜像が形成される。
【００４４】
現像部２４は現像部材である現像ローラ２４ａを備える。現像ローラ２４ａはその周面が感光体ドラム２１の周面に近接して対向するように配置される。現像部２４によって現像剤のトナーが帯電されて感光体ドラム２１の表面の静電潜像に供給され、静電潜像が現像される。現像部２４は現像剤として、例えば非磁性トナー粒子と磁性キャリアとを混合して成る二成分現像剤を使用する。なお、現像部２４では劣化等に起因して現像に適さなくなったトナーを廃トナーとして排出する。
【００４５】
一次転写ローラ２６は中間転写ベルト１１を挟んで感光体ドラム２１に接触する。一次転写ローラ２６は所定の圧力で中間転写ベルト１１に接触し、中間転写ベルト１１の回転に従って回転する。一次転写ローラ２６には必要に応じて、感光体ドラム２１やトナーの帯電極性とは異なる極性の一次転写バイアスが印加される。
【００４６】
ドラムクリーニング部２５は感光体ドラム２１に接触するクリーニングローラ２５ａを備える。クリーニングローラ２５ａは所定の圧力で感光体ドラム２１に接触し、不図示の駆動装置によってその周速度が感光体ドラム２１の周速度とほぼ同じかやや速くになるように回転される。ドラムクリーニング部２５は感光体ドラム２１の表面に形成されたトナー像が中間転写ベルト１１に転写された後、感光体ドラム２１の表面に残留したトナーなどの付着物（以下「廃トナー」と称する）を除去してクリーニングする。
【００４７】
除電装置は感光体ドラム２１の回転方向に沿ってドラムクリーニング部２５の下流側に配置される。除電装置は感光体ドラム２１の軸線方向（用紙幅方向）に複数並べられたＬＥＤ（Light Emitting Diode）を備える。除電装置はＬＥＤの除電光を感光体ドラム２１に照射することによりその表面の帯電電荷を除去して静電潜像を消去し、次回の画像形成動作時における帯電工程のための準備を整える。
【００４８】
そして、画像形成装置１は廃トナー収容容器３０（図５参照）を備える。中間転写クリーニング部１６及びドラムクリーニング部２５に一旦収容された廃トナーは不図示のトナー排出スクリューによってそれらクリーニング部の外部に向かって送出される。同様に、現像部２４の廃トナーも不図示のトナー排出スクリューによって現像部２４の外部に向かって送出される。廃トナー収容容器３０はそれら廃トナーをまとめて回収し、収容する。
【００４９】
なお、廃トナー収容容器３０は単体で中間転写クリーニング部１６、現像部２４及びドラムクリーニング部２５から排出される廃トナーをまとめて回収、収容するが、個別に回収、収容する構成にしても良い。
【００５０】
続いて、画像形成装置１の廃トナー収容容器３０に係る構成について、図３〜図６を用いて説明する。図３及び図４は本体筐体１ａの一部を示す外観斜視図及びその正面扉部の開放状態を示す外観斜視図である。図５及び図６は廃トナー収容容器３０の正面側及び背面側を示す外観斜視図である。
【００５１】
画像形成装置１は、図３及び図４に示すように正面扉部６を備える。正面扉部６は本体筐体１ａの正面の側壁に設けられ、本体筐体１ａの外装の一部を成す。正面扉部６はその下端部に設けられた略水平に左右横方向に延びる支軸部６ａ（図８に図示）を介して本体筐体１ａに支持される。正面扉部６はその上端部を自由端として支軸部６ａ（図８に図示）の軸線回りに垂直面内で揺動して開閉可能である。
【００５２】
正面扉部６は全体的な外形が略平板状を成し、開放するとその内面が上方を向いて略水平に保持される（図４及び図１１参照）。本体筐体１ａは開放した正面扉部６を略水平に保持するためのベルト部材１ｂ及び回転阻止部１ｃ（図１１参照）を備える。ベルト部材１ｂは本体筐体１ａと正面扉部６との間に架設される。回転阻止部１ｃには開放した正面扉部６の一部が当接する。
【００５３】
廃トナー収容容器３０の装着部４０は画像形成装置１の正面側の本体筐体１ａの内部に設けられ、正面扉部６を開放して見ることができる。装着部４０は正面扉部６よりも内側に窪んだ凹部として形成される。廃トナー収容容器３０は正面扉部６を開放した開口を通して本体筐体１ａの内部の装着部４０に装着され、本体筐体１ａに対して着脱が可能である。
【００５４】
廃トナー収容容器３０は、図５及び図６に示すように中間転写ベルト１１用の廃トナー流入口３１、感光体ドラム２１用の廃トナー流入口３２、現像部２４用の廃トナー流入口３３、廃トナー収容部３４及び係合部３５を備える。
【００５５】
中間転写ベルト１１用の廃トナー流入口３１は廃トナー収容容器３０の背面上部に設けられる。廃トナー流入口３１は画像形成装置１に装着された廃トナー収容容器３０を正面側から見て廃トナー収容容器３０の左側に配置される。この廃トナー流入口３１の配置は中間転写クリーニング部１６の位置（図１参照）に対応する。廃トナー流入口３１は廃トナー収容容器３０の背面からさらに後方に向かって突出した突出部３６の先端上面に設けられる。廃トナー流入口３１は上方に向かって開口する。廃トナー流入口３１は廃トナー収容容器３０の装着部４０への装着の過程で、後述する本体筐体１ａに設けられて廃トナー収容容器３０に対して中間転写クリーニング部１６の廃トナーを排出するための廃トナー排出口４２（図１３参照）に連結される。
【００５６】
感光体ドラム２１用の廃トナー流入口３２は廃トナー収容容器３０の背面に設けられる。廃トナー流入口３２は４台の画像形成部２０のドラムクリーニング部２５に対応して４箇所（３２Ｙ、３２Ｍ、３２Ｃ、３２Ｋ）が設けられる。廃トナー流入口３２は後方に向かって開口する。廃トナー流入口３２は廃トナー収容容器３０の装着部４０への装着の過程で、本体筐体１ａに設けられて廃トナー収容容器３０に対してドラムクリーニング部２５の廃トナーを排出するための排出口（不図示）に連結される。
【００５７】
現像部２４用の廃トナー流入口３３は廃トナー収容容器３０の背面に設けられる。廃トナー流入口３３は４台の画像形成部２０の現像部２４に対応して４箇所（３３Ｙ、３３Ｍ、３３Ｃ、３３Ｋ）が設けられる。廃トナー流入口３３は後方に向かって開口する。廃トナー流入口３３は廃トナー収容容器３０の装着部４０への装着の過程で、本体筐体１ａに設けられて廃トナー収容容器３０に対して現像部２４の廃トナーを排出するための排出口（不図示）に連結される。
【００５８】
廃トナー収容部３４は廃トナー収容容器３０の下部であって、廃トナー流入口３１、３２、３３よりも下方に設けられる。廃トナー収容部３４は廃トナー収容容器３０の内部に設けられ、廃トナー流入口３１、３２、３３と連通する。廃トナー収容部３４では廃トナー流入口３１、３２、３３を介して廃トナー収容容器３０の内部に流入した廃トナーが自由落下して堆積する。
【００５９】
係合部３５は廃トナー収容容器３０の左右の上方外縁部各々に設けられる。係合部３５は係止部３５ａ及び位置決め片３５ｂを備える。係合部３５は廃トナー収容容器３０の装着部４０への装着の過程で、後述する本体筐体１ａに設けられた装着部４０の係合部４３と係合する。係止部３５ａは装着部４０の係合部４３の係合爪４３ａ（図１１参照）と係合する。位置決め片３５ｂは装着部４０の係合部４３の位置決め部４３ｂ（図１１参照）と係合する。
【００６０】
そして、正面扉部６は装着部４０への廃トナー収容容器３０の装着をガイドするための廃トナー収容容器３０の載置部５０（図４参照）を備える。
【００６１】
続いて、正面扉部６の廃トナー収容容器３０の載置部５０に係る構成について、図７〜図１１を用いて説明する。図７及び図８は正面扉部６の内面を示す平面図及び斜視図である。図９及び図１０は正面扉部６の内面の左端部周辺及び右端部周辺を示す部分斜視図である。図１１は正面扉部６の開放状態を示す垂直断面部分側面図である。なお、図７は開放して略水平を成す正面扉部６を上方から見た平面図であり、図７の上方が画像形成装置１の本体筐体１ａ側（平面視前後方向の後方）である。
【００６２】
正面扉部６は、図７及び図８に示すようにその内面に廃トナー収容容器３０の載置部５０を備える。載置部５０は開放した正面扉部６の内面において廃トナー収容容器３０の装着部４０に対応する位置、すなわち装着部４０のちょうど前方に設けられる。さらに、載置部５０は正面扉部６の本体筐体１ａに対して隣接した支持端（図７における正面扉部６の上端）から離隔した自由端（図７における正面扉部６の下端）までの長さの中央部よりも本体筐体１ａに近い領域に設けられる。
【００６３】
載置部５０は一対の左方載置部５０Ｌ及び右方載置部５０Ｒから成る。なおこの説明において、特に限定する必要がある場合を除き、「Ｌ」、「Ｒ」の識別記号の記載を省略して、例えば「載置部５０」と総称することがある。載置部５０は正面扉部６と一体として形成された複数のリブ５０ａを有する。リブ５０ａは、開放して略水平を成す正面扉部６の内面に対して上方に向かって突出する。また、２箇所の載置部５０は各々、図８〜図１０に示すように載置面５１及びガイド壁５２を備える。
【００６４】
載置面５１は左右方向に関してガイド壁５２Ｓよりも正面扉部６の中央部に近い側（内側）に配置され、平面視前後方向に関してガイド壁５２Ｆよりも本体筐体１ａに近い側（後方）に配置される。載置面５１は複数のリブ５０ａの頂部で構成される。載置面５１は載置部５０に載置された廃トナー収容容器３０の底面を支持する。
【００６５】
また、載置面５１は、図１１に示すように側面視前後方向に関して本体筐体１ａに近い側（図１１の右方）が本体筐体１ａから遠い側（図１１の左方）よりも高くなる傾斜を有する。この載置面５１の傾斜は廃トナー収容容器３０を載置部５０に載置させた場合に、廃トナー収容容器３０の上部を下部よりも本体筐体１ａの内部に対して離隔させる（図１３参照）。
【００６６】
また、載置部５０は、図１１に示すようにその本体筐体１ａ側の縁部が本体筐体１ａに対して近接する。さらに、載置面５１は開放された正面扉部６が略水平を成す状態において本体筐体１ａの廃トナー収容容器３０の装着部４０の内底部４０ａよりも高さが低い。
【００６７】
ガイド壁５２は側方ガイド壁５２Ｓ及び前方ガイド壁５２Ｆを備える。側方ガイド壁５２Ｓは左右方向に関して載置面５１よりも正面扉部６の中央部から遠い側（外側）に配置される。前方ガイド壁５２Ｆは平面視前後方向に関して載置面５１よりも本体筐体１ａから遠い側（前方）に配置される。ガイド壁５２は載置面５１と交差して載置面５１から突出する。すなわち、ガイド壁５２は開放して略水平を成す正面扉部６の載置面５１に対して上方に向かって突出する。さらに、側方ガイド壁５２Ｓは前方ガイド壁５２Ｆよりも突出高さが高い。ガイド壁５２は載置部５０に載置された廃トナー収容容器３０の側壁と対向する。
【００６８】
ここで、前述のように廃トナー収容容器３０は廃トナーが流入する複数の廃トナー流入口３１、３２、３３を備える。これら複数の廃トナー流入口３１、３２、３３のうち、中間転写ベルト１１用の廃トナー流入口３１に最も多くの廃トナーが流入する。
【００６９】
左方載置部５０Ｌは廃トナー収容容器３０の複数の廃トナー流入口３１、３２、３３のうち最も多くの廃トナーが流入する中間転写ベルト１１用の廃トナー流入口３１に対応して、廃トナー収容容器３０が載置部５０に載置された場合の廃トナー流入口３１の下方に位置する。左方載置部５０Ｌは載置部５０の他の領域、すなわち右方載置部５０Ｒよりも載置部５０に載置された廃トナー収容容器３０に向かって突出する。すなわち、左方載置部５０Ｌは開放して略水平を成す正面扉部６に対して上方に向かって突出するその突出高さが右方載置部５０Ｒよりも高い。また、左方載置部５０Ｌは載置部５０の他の領域、すなわち右方載置部５０Ｒよりもリブ５０ａの数が多い。
【００７０】
続いて、廃トナー収容容器３０の装着部４０への装着に係る構成と装着動作について、図５及び図１１に加えて図１２〜図１５を用いて説明する。図１２及び図１３は廃トナー収容容器３０の本体筐体１ａへの装着の初期状態を示す外観斜視図及び垂直断面部分側面図である。図１４及び図１５は廃トナー収容容器３０の本体筐体１ａへの装着の中途状態及び完了状態を示す垂直断面部分側面図である。なお、図１１及び図１５では、後述する支持部４１の描画を省略している。
【００７１】
正面扉部６は開放すると、図１１に示すようにその内面が上方を向いて略水平に保持される。この状態で、図１２及び図１３に示すように載置部５０に廃トナー収容容器３０を載置することができる。
【００７２】
載置面５１は平面視前後方向に関して本体筐体１ａに近い側（図１３の右方）が本体筐体１ａから遠い側（図１３の左方）よりも高くなる傾斜を有する。これにより、廃トナー収容容器３０はその上部が下部よりも本体筐体１ａの内部に対して離隔するように傾いた状態で載置部５０に載置される。
【００７３】
一方、本体筐体１ａの廃トナー収容容器３０の装着部４０には、図１３に示す支持部４１が設けられる。支持部４１は装着部４０の上部であって、廃トナー収容容器３０の突出部３６に対応する箇所に設けられて、載置部５０に載置された廃トナー収容容器３０の上部に係合してこれを支持する。支持部４１はその下面が載置部５０に載置された廃トナー収容容器３０の突出部３６の上面と係合する。すなわち、支持部４１は上部が下部よりも本体筐体１ａの内部に対して離隔するように傾いた状態で載置部５０に載置された廃トナー収容容器３０が、図１３に示す状態よりもさらに傾きを増して本体筐体１ａの前方（図１３の左方）に向かって転倒することを阻止する。
【００７４】
支持部４１は廃トナー収容容器３０の中間転写ベルト１１用の廃トナー流入口３１に対して廃トナーを排出するための廃トナー排出口４２を備える。廃トナー排出口４２は中間転写クリーニング部１６と廃トナーの流通経路が連通し、中間転写クリーニング部１６からその外部に向けて送出された廃トナーを排出する。廃トナー排出口４２は支持部４１の下部に設けられる。中間転写ベルト１１用の廃トナー流入口３１は、図１３に示すように廃トナー収容容器３０が載置部５０に載置された場合に廃トナー排出口４２に連結される。これにより、廃トナー流入口３１と廃トナー排出口４２との間の廃トナーの流通経路が連通し、外部に廃トナーが漏洩しない。
【００７５】
次に、廃トナー収容容器３０の装着部４０への装着を進めると、廃トナー収容容器３０が図１４に示す状態となる。
【００７６】
ここで、装着部４０には、図１１に示す係合部４３が設けられる。係合部４３は装着部４０の左右の上方内縁部各々に設けられる。係合部４３は係合爪４３ａ及び位置決め部４３ｂを備える。係合部４３は廃トナー収容容器３０の装着部４０への装着の過程で、すなわち図１４に示す状態のときに、廃トナー収容容器３０に設けられた係合部３５と係合する。係合爪４３ａは廃トナー収容容器３０の係合部３５の係止部３５ａと係合する。位置決め部４３ｂは廃トナー収容容器３０の係合部３５の位置決め片３５ｂと係合する。
【００７７】
装着部４０の係合部４３と廃トナー収容容器３０の係合部３５とが係合すると、図１４に示すように載置部５０に対して廃トナー収容容器３０が離隔する。すなわち、廃トナー収容容器３０が載置部５０に対して離隔して、浮いた状態となって、廃トナー収容容器３０と装着部４０とが互いに係合する。
【００７８】
そして、廃トナー収容容器３０の装着部４０への装着の最終段階で、廃トナー収容容器３０が図１５に示す状態となる。なお、図１５では正面扉部６を本体筐体１ａに対して閉鎖している。
【００７９】
載置部５０は、詳細に言えば例えばガイド壁５２の頂部が、正面扉部６を本体筐体１ａに対して閉鎖した場合に装着部４０に装着された廃トナー収容容器３０の側壁と接触する。これにより、廃トナー収容容器３０が装着部４０に対して完全に装着されていない場合に、正面扉部６を閉鎖することで載置部５０が廃トナー収容容器３０を装着部４０に向けて押すことになる。その結果、廃トナー収容容器３０が装着部４０に対して完全に装着される。
【００８０】
上記の実施形態のように、画像形成装置１は、本体筐体１ａと、本体筐体１ａの側壁に設けられて開放したその内面が上方を向く開閉可能な正面扉部６と、正面扉部６を開放した開口を通して本体筐体１ａの内部の所定の装着部４０に装着されるとともに本体筐体１ａに対して着脱が可能な廃トナーを収容する廃トナー収容容器３０と、開放した正面扉部６の内面において装着部４０に対応する位置に設けられて装着部４０への廃トナー収容容器３０の装着をガイドするための廃トナー収容容器３０の載置部５０とを備える。
【００８１】
この構成によれば、廃トナー収容容器３０を装着部４０に装着する際、開放すると上方を向く正面扉部６の内面に設けられた載置部５０に廃トナー収容容器３０を載置することを促すことができる。これにより、廃トナー収容容器３０が立てた状態になり、廃トナーの漏洩を抑制することが可能である。さらに、廃トナー収容容器３０の載置部５０は本体筐体１ａの内部の廃トナー収容容器３０の装着部４０に対応する位置に設けられるので、装着部４０への廃トナー収容容器３０の装着を容易に行うことができる。
【００８２】
また、画像形成装置１は、トナー像を形成するための現像部２４と、トナー像を担持する感光体ドラム２１及び中間転写ベルト１１とを備える。廃トナー収容容器３０は現像部２４、感光体ドラム２１及び中間転写ベルト１１の少なくとも一つから排出される廃トナーを収容する。
【００８３】
この構成によれば、廃トナー収容容器３０が現像部２４、感光体ドラム２１及び中間転写ベルト１１から排出される廃トナーを個別に回収、収容する場合、各々の廃トナーの排出量に対応して個別に廃トナー収容容器３０を交換することができる。一方、廃トナー収容容器３０が現像部２４、感光体ドラム２１及び中間転写ベルト１１から排出される廃トナーをまとめて回収、収容する場合、廃トナー収容容器３０を単体で構成することができ、部品点数の低減を図ることが可能である。
【００８４】
また、載置部５０が、載置部５０に載置された廃トナー収容容器３０の底面を支持する載置面５１と、載置面５１と交差して載置面５１から突出するとともに載置部５０に載置された廃トナー収容容器３０の側壁と対向するガイド壁５２とを含む。
【００８５】
この構成によれば、廃トナー収容容器３０の底面を支持する載置面５１の周囲に廃トナー収容容器３０の側壁と対向するガイド壁５２を配置することができる。したがって、載置部５０に対する廃トナー収容容器３０の配置場所が明確になり、装着部４０に対する廃トナー収容容器３０の着脱がより一層容易になる。
【００８６】
また、載置部５０が正面扉部６と一体として形成されたリブ５０ａを有する。
【００８７】
この構成によれば、載置部５０の強度を向上させることができる。したがって、廃トナー収容容器３０をしっかりと支持することが可能であり、載置部５０及び正面扉部６の破損を防止することができる。
【００８８】
また、載置部５０が載置部５０に載置された廃トナー収容容器３０の上部を下部よりも本体筐体１ａの内部に対して離隔させる傾斜を有する。
【００８９】
この構成によれば、廃トナー収容容器３０の装着部４０と対向し合う領域に廃トナー流入口３１、３２、３３や係合部３５などといった突出部や突起部、爪等が設けられている場合に、凹部として形成された装着部４０に廃トナー収容容器３０を挿入し易くなる。これにより、廃トナー収容容器３０と装着部４０とが対向し合う領域に設けられた廃トナー流入口３１、３２、３３や廃トナー排出口４２、係合部３５、４３などといった構成要素の接続や係合をスムーズに行うことができる。そして、それら構成要素の箇所の衝突等に起因する破損を防止することが可能である。さらに、廃トナー収容容器３０は廃トナー流入口３１、３２、３３が上方を向くように傾くので、廃トナーの漏洩をより一層効果的に抑制することが可能になる。
【００９０】
また、画像形成装置１は本体筐体１ａに設けられて載置部５０に載置された廃トナー収容容器３０の上部を支持する支持部４１を備える。
【００９１】
この構成によれば、例えば廃トナー収容容器３０が傾いた状態で載置部５０に載置される場合に、支持部４１で廃トナー収容容器３０を支持することができる。したがって、廃トナー収容容器３０の転倒を防止することができ、廃トナー収容容器３０からの廃トナーの漏洩を抑制することが可能である。
【００９２】
また、画像形成装置１は、本体筐体１ａに設けられて廃トナー収容容器３０に対して中間転写クリーニング部１６の廃トナーを排出するための廃トナー排出口４２と、廃トナー収容容器３０に設けられて廃トナー排出口４２から排出される廃トナーが流入するとともに廃トナー収容容器３０が載置部５０に載置された場合に廃トナー排出口４２に連結される中間転写ベルト１１用の廃トナー流入口３１とを備える。
【００９３】
この構成によれば、廃トナー収容容器３０が載置部５０に載置された状態で廃トナー流入口３１または廃トナー排出口４２から外部に廃トナーが漏洩することを抑制することが可能である。
【００９４】
また、載置部５０が正面扉部６の本体筐体１ａに対して隣接した支持端から離隔した自由端までの長さの中央部よりも本体筐体１ａに近い領域に設けられる。
【００９５】
この構成によれば、廃トナー収容容器３０が載置部５０に載置されることで正面扉部６に加わる負荷を軽減させることが可能である。
【００９６】
また、載置部５０はその本体筐体１ａ側の縁部が本体筐体１ａに対して近接するとともに、開放された正面扉部６が略水平を成す状態において本体筐体１ａの廃トナー収容容器３０の装着部４０の内底部４０ａよりも高さが低い。
【００９７】
この構成によれば、廃トナー収容容器３０の装着部４０への装着の際に廃トナー収容容器３０の上部が装着部４０の縁部に衝突することを抑制することができる。また、廃トナー収容容器３０の装着部４０からの取り外しの際に廃トナー収容容器３０の下部が載置部５０の縁部に衝突することを抑制することができる。
【００９８】
また、廃トナー収容容器３０が載置部５０に対して離隔した状態で廃トナー収容容器３０と本体筐体１ａの廃トナー収容容器３０の装着部４０とが互いに係合する係合部３５、４３を備える。
【００９９】
この構成によれば、廃トナー収容容器３０の装着部４０への装着の中途状態で廃トナー収容容器３０の正面扉部６への脱落、衝突を防止することができる。したがって、廃トナー収容容器３０及び正面扉部６の破損や廃トナー収容容器３０からの廃トナーの漏洩を抑制することが可能である。
【０１００】
また、載置部５０は正面扉部６を本体筐体１ａに対して閉鎖した場合に本体筐体１ａの装着部４０に装着された廃トナー収容容器３０の側壁と接触する。
【０１０１】
この構成によれば、廃トナー収容容器３０が装着部４０に対して完全に装着されていない場合に、正面扉部６を閉鎖することによって載置部５０で廃トナー収容容器３０を装着部４０に向けて押すことができる。その結果、廃トナー収容容器３０を装着部４０に対して完全に装着することが可能になる。
【０１０２】
また、廃トナー収容容器３０は廃トナーが流入する複数の廃トナー流入口３１、３２、３３を備える。そして、載置部５０は廃トナー収容容器３０の複数の廃トナー流入口３１、３２、３３のうち最も多くの廃トナーが流入する中間転写ベルト１１用の廃トナー流入口３１の箇所に対応する領域である左方載置部５０Ｌが他の領域である右方載置部５０Ｒよりも載置部５０に載置された廃トナー収容容器３０に向かって突出する。
【０１０３】
この構成によれば、中間転写ベルト１１用の廃トナー流入口３１から廃トナー収容容器３０に流入した廃トナーを廃トナー収容容器３０の右方載置部５０Ｒ側に誘導することができる。したがって、廃トナー収容部３４に収容された廃トナーを左右横方向に均一に分散させることが可能になる。また、中間転写ベルト１１用の廃トナー流入口３１の下方に廃トナーが堆積してしまった場合に廃トナー収容容器３０の左方載置部５０Ｌ側が右方載置部５０Ｒ側よりも重くなり、正面扉部６の左方載置部５０Ｌ側が右方載置部５０Ｒ側よりも下がり、載置部５０に載置された廃トナー収容容器３０を略水平に保持できない虞がある。しかしながら、上記構成によれば、左方載置部５０Ｌが右方載置部５０Ｒよりも廃トナー収容容器３０に向かって突出するので、載置部５０に載置された廃トナー収容容器３０を略水平に保持することが可能になる。
【０１０４】
また、廃トナー収容容器３０は廃トナーが流入する複数の廃トナー流入口３１、３２、３３を備える。そして、載置部５０は正面扉部６と一体として形成されたリブ５０ａを有し、廃トナー収容容器３０の複数の廃トナー流入口３１、３２、３３のうち最も多くの廃トナーが流入する中間転写ベルト１１用の廃トナー流入口３１の箇所に対応する領域である左方載置部５０Ｌのリブ５０ａの数が他の領域である右方載置部５０Ｒのリブ５０ａの数よりも多い。
【０１０５】
中間転写ベルト１１用の廃トナー流入口３１の下方に廃トナーが堆積してしまった場合に廃トナー収容容器３０の左方載置部５０Ｌ側が右方載置部５０Ｒ側よりも重くなる虞があるが、上記構成によれば、比較的多い数量のリブ５０ａで廃トナー収容容器３０の左方載置部５０Ｌ側を支持することができる。したがって、廃トナー収容容器３０の左方載置部５０Ｌ側の荷重が比較的重くなることに起因する載置部５０や正面扉部６の破損を防止することが可能である。
【０１０６】
以上、本発明の実施形態につき説明したが、本発明の範囲はこれに限定されるものではなく、発明の主旨を逸脱しない範囲で種々の変更を加えて実施することができる。
【０１０７】
例えば、上記実施形態では画像形成装置１が中間転写ベルト１１を用いて複数色の画像を順次重ねて形成する所謂タンデム型のカラー印刷用画像形成装置であるが、このような機種に限定されるわけではなく、タンデム型ではないカラー印刷用画像形成装置やモノクロ印刷用の画像形成装置であっても構わない。
【産業上の利用可能性】
【０１０８】
本発明は画像形成装置において利用可能である。
【符号の説明】
【０１０９】
１    画像形成装置
１ａ    本体筐体
６    正面扉部（扉部）
１１    中間転写ベルト（像担持体）
１６    中間転写クリーニング部
２０    画像形成部
２１    感光体ドラム（像担持体）
２４    現像部
２５    ドラムクリーニング部
３０    廃トナー収容容器（収容容器）
３１、３２、３３    廃トナー流入口（流入口）
３４    廃トナー収容部
３５    係合部
４０    装着部
４０ａ    内底部
４１    支持部
４２    廃トナー排出口（排出口）
４３    係合部
５０    載置部
５０ａ    リブ
５０Ｌ    左方載置部
５０Ｒ    右方載置部
５１    載置面
５２    ガイド壁
【図１】
0006613907.tif 000002
【図２】
0006613907.tif 000003
【図３】
0006613907.tif 000004
【図４】
0006613907.tif 000005
【図５】
0006613907.tif 000006
【図６】
0006613907.tif 000007
【図７】
0006613907.tif 000008
【図８】
0006613907.tif 000009
【図９】
0006613907.tif 000010
【図１０】
0006613907.tif 000011
【図１１】
0006613907.tif 000012
【図１２】
0006613907.tif 000013
【図１３】
0006613907.tif 000014
【図１４】
0006613907.tif 000015
【図１５】
0006613907.tif 000016